(57)【要約】【課題】公共の場において、携帯端末に本来有する機能を維持させつつ、携帯端末を利用して、音響効果、照明効果、視覚効果等を向上させることができる視聴効果システム及びその制御方法を提供する。【解決手段】視聴効果設備により、携帯端末のユーザが視聴中の表示映像や音に連動して、該携帯端末から出力させる音または画面の明るさや色を変更させるための指示または情報を複数の携帯端末にそれぞれ送信する。複数の携帯端末は、視聴効果設備から受信した指示または情報にしたがって、音声出力手段から出力する音や表示手段で表示する画面の明るさや色を変更する。【選択図】図１
2013239890.tif 000002
【特許請求の範囲】
【請求項１】
音を出力する音声出力手段、画像を表示する表示手段及び情報を送受信するための通信手段を備え、前記通信手段を介して受信した指示または情報にしたがって前記音声出力手段から出力する音や表示手段で表示する画面の明るさや色を変更する複数の携帯端末と、
前記携帯端末のユーザが視聴中の表示映像や音に連動して、前記携帯端末から出力させる音または前記画面の明るさや色を変更させるための指示または情報を前記複数の携帯端末にそれぞれ送信する、複数の携帯端末と通信可能な視聴効果設備と、
を有する視聴効果システム。
【請求項２】
前記視聴効果設備は、
前記携帯端末が携帯電話機である場合、該携帯電話機を、前記ユーザによる視聴開始前にマナーモードに設定させ、前記ユーザによる視聴終了後に前記マナーモードを解除させる請求項１記載の視聴効果システム。
【請求項３】
前記視聴効果設備は、
前記携帯端末のユーザの位置に応じて、前記携帯端末から出力させる音または前記画面の明るさや色を異ならせる請求項１または２記載の視聴効果システム。
【請求項４】
コンピュータが、
携帯端末のユーザが視聴中の表示映像や音に連動して、前記携帯端末から出力させる音または前記画面の明るさや色を変更させるための指示または情報を複数の携帯端末にそれぞれ送信し、
前記コンピュータと通信可能な複数の携帯端末が、
前記コンピュータから受信した指示または情報にしたがって、音声出力手段から出力する音や表示手段で表示する画面の明るさや色を変更する携帯端末の制御方法。
【請求項５】
前記コンピュータは、
前記携帯端末が携帯電話機である場合、該携帯電話機を、前記ユーザによる視聴開始前にマナーモードに設定させ、前記ユーザによる視聴終了後に前記マナーモードを解除させる請求項４記載の携帯端末の制御方法。
【請求項６】
前記コンピュータは、
前記携帯端末のユーザの位置に応じて、前記携帯端末から出力させる音または前記画面の明るさや色を異ならせる請求項４または５記載の携帯端末の制御方法。
【請求項７】
音を出力する音声出力手段と、
画像を表示する表示手段と、
情報を送受信するための通信手段と、
前記通信手段を介して外部から受信した指示または情報にしたがって前記音声出力手段から出力する音や表示手段で表示する画面の明るさや色を変更する制御手段と、
を有する携帯端末。
【請求項８】
前記制御手段は、
前記通信手段を介して外部から受信した指示にしたがって、マナーモードへ移行する、または前記マナーモードを解除する請求項７記載の携帯端末。
【請求項９】
音を出力する音声出力手段と、
画像を表示する表示手段と、
情報を送受信するための通信手段と、
前記通信手段を介して外部から受信したアプリケーションプログラムにしたがって前記音声出力手段から出力する音や表示手段で表示する画面の明るさや色を変更する制御手段と、
を有する携帯端末。
【請求項１０】
前記制御手段は、
前記アプリケーションプログラムにしたがって、マナーモードへ移行する、または前記マナーモードを解除する請求項９記載の携帯端末。
【発明の詳細な説明】
【技術分野】
【０００１】
本発明は、携帯端末を利用する視聴効果システム、携帯端末の制御方法及び携帯端末に関する。
【背景技術】
【０００２】
近年の携帯端末（携帯電話機、携帯型のゲーム機、タブレット型やノート型等の携帯型のパーソナルコンピュータ等）は、高性能化や多機能化に伴って様々な利用方法が提案されている。
【０００３】
例えば特許文献１には、映画やデータ放送等の表示映像に連動して、該映像の鑑賞者が所有する携帯型のゲーム機に、無線送信装置から価値あるデータ（例えば割引券、抽選券、イベント参加券、イベント入場券、人気キャラクターや該人気キャラクターを画面上で動作させるための付加プログラム等）を送信して提供することが提案されている。
【０００４】
また、特許文献２には、携帯電話機に内蔵されたスピーカ、イヤホンあるいはイヤホンジャックに接続される外部スピーカを用いて、該携帯電話機が備える音楽プレイヤーで再生する音楽等の音響効果を向上させる技術が記載されている。
【先行技術文献】
【特許文献】
【０００５】
【特許文献１】特開２００６−１０９０９８号公報
【特許文献２】特開２００３−２８３５９９号公報
【発明の概要】
【発明が解決しようとする課題】
【０００６】
例えば携帯電話機は、現在、１人１台以上所有するまでに普及しているため、映画館等の公共の場では、携帯電話機への着信音、電子メールの受信音、携帯電話機の画面の明かり等が周囲の迷惑になることがある。
【０００７】
一方、公共の場であっても、上記特許文献１に記載された技術のように携帯端末を利用して価値データを提供すれば、映画や関連するイベント等の観客数の増員、宣伝効果の増大等が期待できる。
【０００８】
しかしながら、特許文献１に記載の技術では、映画館等への入場時に鑑賞者に携帯端末をスリープモードに設定させ、事前に送信された付加プログラムにしたがった処理により必要に応じて携帯端末のスリープモードを解除している。そのため、特許文献１に記載の技術を、例えば携帯電話機に適用すると、該携帯電話機は単なるデータ受信装置となり、電話機としての機能を一時的に失ってしまう。
【０００９】
また、上記特許文献２に記載された技術は、１台の携帯電話機で再生される音楽等の音響効果を向上させるものであり、基本的に公共の場で利用することを想定したものではない。
【００１０】
したがって、公共の場において、携帯端末に本来有する機能を維持させつつ、携帯端末を利用して、例えば音響効果、照明効果、視覚効果等を向上させることができれば、観客数の増員や宣伝効果の増大等が期待できるために望ましい。
【００１１】
本発明は上述したような背景技術が有する問題点を解決するためになされたものであり、公共の場において、携帯端末に本来有する機能を維持させつつ、携帯端末を利用して、音響効果、照明効果、視覚効果等を向上させることができる視聴効果システム、携帯端末の制御方法及び携帯端末を提供することを目的とする。
【課題を解決するための手段】
【００１２】
上記目的を達成するため本発明の視聴効果システムは、音を出力する音声出力手段、画像を表示する表示手段及び情報を送受信するための通信手段を備え、前記通信手段を介して受信した指示または情報にしたがって前記音声出力手段から出力する音や表示手段で表示する画面の明るさや色を変更する複数の携帯端末と、
前記携帯端末のユーザが視聴中の表示映像や音に連動して、前記携帯端末から出力させる音または前記画面の明るさや色を変更させるための指示または情報を前記複数の携帯端末にそれぞれ送信する、複数の携帯端末と通信可能な視聴効果設備と、
を有する。
【００１３】
また、本発明の携帯端末の制御方法は、コンピュータが、
携帯端末のユーザが視聴中の表示映像や音に連動して、前記携帯端末から出力させる音または前記画面の明るさや色を変更させるための指示または情報を複数の携帯端末にそれぞれ送信し、
前記コンピュータと通信可能な複数の携帯端末が、
前記コンピュータから受信した指示または情報にしたがって、音声出力手段から出力する音や表示手段で表示する画面の明るさや色を変更する方法である。
【００１４】
一方、本発明の携帯端末は、音を出力する音声出力手段と、
画像を表示する表示手段と、
情報を送受信するための通信手段と、
前記通信手段を介して外部から受信した指示または情報にしたがって前記音声出力手段から出力する音や表示手段で表示する画面の明るさや色を変更する制御手段と、
を有する。
【００１５】
または、音を出力する音声出力手段と、
画像を表示する表示手段と、
情報を送受信するための通信手段と、
前記通信手段を介して外部から受信したアプリケーションプログラムにしたがって前記音声出力手段から出力する音や表示手段で表示する画面の明るさや色を変更する制御手段と、
を有する。
【発明の効果】
【００１６】
本発明によれば、公共の場において、携帯端末に本来有する機能を維持させつつ、携帯端末を利用して、音響効果、照明効果、視覚効果等を向上させることができる。
【図面の簡単な説明】
【００１７】
【図１】本発明の視聴効果システムの一構成例を示す模式図である。
【図２】図１に示した携帯端末の一構成例を示すブロック図である。
【図３】図１に示した視聴効果システムの動作例を示すフローチャートである。
【発明を実施するための形態】
【００１８】
次に本発明について図面を用いて説明する。
【００１９】
本発明では、映画館における表示映像、コンサートやイベント会場における歌や音楽等、携帯端末の各ユーザが視聴中の表示映像や音に連動させて、各携帯端末から出力させる音、画面の明るさや色、振動（バイブレータ等）の有無やそのパターン等を制御することで、音響効果、照明効果、視覚効果等を向上させる。また、携帯端末が携帯電話機である場合、該携帯電話機のマナーモードの設定／解除も併せて制御し、周囲への迷惑となる着信音等を制限する。
【００２０】
図１は本発明の視聴効果システムの一構成例を示す模式図であり、図２は図１に示した携帯端末の一構成例を示すブロック図である。
【００２１】
図１に示すように、本発明の視聴効果システムは、視聴効果設備１及び複数の携帯端末２1〜２n（ｎは正の整数；図１に示す例では２1〜２40）を備える。
【００２２】
以下では、携帯端末２1〜２nとして携帯電話機を利用する場合を例にして説明するが、携帯端末２1〜２nは、音声出力手段（スピーカ等）、表示装置、視聴効果設備１と情報を送受信するための通信手段を含む装置であれば、どのようなものでもよい。そのような装置としては、例えばノート型やタブレット型のパーソナルコンピュータ、ＰＤＡ（Personal Digital Assistants）、ゲーム機等がある。また、以下では携帯端末２1〜２nをまとめて示す場合、携帯端末２と表記する。
【００２３】
視聴効果設備１は、スクリーン等に表示される映像あるいは歌や音楽等、携帯端末２1〜２nの各ユーザが視聴中の表示映像や音に連動して、各携帯端末２1〜２nから出力させる音、画面の明るさや色、振動の有無やそのパターン等を変更させることで、各携帯端末２1〜２nの動作を制御する。また、視聴効果設備１は、各携帯端末２1〜２nのマナーモードへの設定やマナーモードからの解除を制御する。各携帯端末２1〜２nには、予め所定のプログラム（アプリケーションプログラム）をインストールしておき、ユーザが該アプリケーションプログラムを起動させることで視聴効果設備１による制御を可能にする。携帯端末２1〜２nから出力させる音、画面の明るさや色、振動の有無やそのパターン等、携帯端末２1〜２nを動作させるために必要なデータは、上記アプリケーションプログラムに含んでいてもよい。その場合、視聴効果設備１は、携帯端末２1〜２nの動作内容（上記携帯端末２1〜２nから出力させる音、画面の明るさや色、振動の有無やそのパターン等）やその動作契機を指定すればよい。
【００２４】
図１に示す視聴効果設備１と複数の携帯端末２1〜２nとは、Ｗｉ−Ｆｉ、Ｂｌｕｅｔｏｏｔｈ（登録商標）等の周知の近距離通信手段を用いて互いに情報の送受信が可能な構成である。
【００２５】
視聴効果設備１は、携帯端末２1〜２nと情報を送受信するための近距離通信手段、制御プログラムにしたがって処理を実行するＣＰＵ、該ＣＰＵで処理する情報を一時的に保持するメモリ、上記制御プログラムや各携帯端末２1〜２nの制御に必要な情報等が格納される記憶装置等を備えた周知の情報処理装置（コンピュータ）で実現できる。
【００２６】
図２に示すように、携帯端末（携帯電話機）２は、画像を表示する表示手段２０１と、視聴効果設備１と情報を送受信するための近距離通信手段２０２と、無線基地局（不図示）を介して各種の情報を送受信するための無線通信手段２０３と、音声、音楽、効果音等を含む各種の音を出力する音声出力手段２０４と、携帯端末２の全体動作を制御する制御手段２０５とを有し、表示手段２０１、近距離通信手段２０２、無線通信手段２０３及び音声出力手段２０４が制御手段２０５に接続されて制御される構成である。携帯端末２には、撮影手段２０６、振動手段２０７、非接触通信手段２０８等をさらに備えていてもよい。撮影手段２０６、振動手段２０７及び非接触通信手段２０８も制御手段２０５に接続されて制御される。
【００２７】
表示手段２０１は、制御手段か２０５ら供給される画像信号にしたがって、文字、記号、画像等を表示する、液晶パネルや有機ＥＬパネル等のディスプレイである。表示手段２０１上には文字や記号等を入力するための周知のタッチパネルが設置されていてもよい。
【００２８】
近距離通信手段２０２は、視聴効果設備１と情報を送受信するための、上述したＷｉ−Ｆｉ、Ｂｌｕｅｔｏｏｔｈ（登録商標）等である。
【００２９】
無線通信手段２０３は、無線基地局（不図示）と無線通信可能に接続することで、該無線基地局を含む移動体通信網やコアネットワークを介して音声通話、電子メールの送受信、ＴＣＰ／ＩＰプロトコル（インターネット）を用いたデータやプログラム等の送受信を可能にする。
【００３０】
音声出力手段２０４は、制御手段２０５から供給される音声信号にしたがって音声、音楽、効果音、間接音等を出力するスピーカである。音声出力手段２０４には、イヤホンあるいはイヤホンジャックに接続される外部スピーカ等を含めてもよい。
【００３１】
撮影手段２０６は、静止画像や動画像を撮影するための周知のカメラである。制御手段２０５は、撮影手段２０６で撮影された二次元コード（例えばＱＲコード（登録商標））を復号し、該二次元コードで表される情報を読み取ることが可能であるものとする。
【００３２】
振動手段２０７は、制御手段２０５から供給される駆動信号にしたがって携帯端末２を振動させるバイブレータである。
【００３３】
非接触通信手段２０８は、例えば電磁誘導を利用して非接触により電力や情報を送受信する通信手段である。非接触通信手段２０８としては、例えばＦｅｌｉｃａ（登録商標）がある。
【００３４】
制御手段２０５は、携帯端末２としての所定の機能を実現すると共に、予め格納されたプログラム（アプリケーションプログラム）にしたがった処理で視聴効果設備１と情報を送受信し、該アプリケーションプログラムや視聴効果設備１の指示にしたがって、音声出力手段２０４（スピーカ）から出力させる音、表示手段２０１で表示する画面の明るさや色、振動手段２０７（バイブレータ）による振動の有無やそのパターン等を変更させる。制御手段２０５は、所定の制御プログラムにしたがって処理を実行するＣＰＵ、該ＣＰＵで処理する情報を一時的に保持するメモリ、上記制御プログラム、携帯端末２のユーザ情報、携帯端末２の制御に必要な情報等が格納される記憶装置等を備えた周知の処理装置（マイクロコンピュータ等）で実現できる。
【００３５】
なお、図１は、映像を表示するスクリーン３の近傍に視聴効果設備１が設置され、視聴効果設備１と各携帯端末２1〜２nとが近距離通信手段２０２を用いて互いに情報を送受信する構成例を示しているが、視聴効果設備１の設置場所はスクリーン３の近傍である必要はなく、例えば投影室、天井、入退場口近傍等、視聴効果設備１と各携帯端末２1〜２nとが通信可能な範囲であればどこに設置されていてもよい。
【００３６】
また、携帯端末２1〜２nが無線通信手段２０３を用いて情報を送受信できる場合、視聴効果設備１の機能は、例えばインターネット上のサーバ装置（Ｗｅｂサーバ）で実現してもよい。その場合、視聴効果設備１には、上記近距離通信手段に代えて、ＴＣＰ／ＩＰプロトコルにしたがってネットワークを介して情報を送受信するための通信手段を備えていればよい。
【００３７】
このような構成において、次に本発明の視聴効果システムの制御方法について図面を用いて説明する。
【００３８】
図３は、図１に示した視聴効果システムの動作例を示すフローチャートである。
【００３９】
携帯端末２1〜２nの各ユーザは、例えば映画館やイベントホール等への入場時に、各々の携帯端末２1〜２nを視聴効果設備１と通信できるように設定する。ユーザは、例えば視聴効果設備１から近距離通信手段２０２を介して取得した、該視聴効果設備１との通信に必要な情報（アクセスポイントの名称、暗号化方式、パスワード（パスキー）等）を、携帯端末２1〜２nに設定することで、携帯端末２1〜２nを視聴効果設備１と通信可能に接続する。このとき、ユーザは、例えば非接触通信手段を備えた端末装置（Ｆｅｌｉｃａ（登録商標）端末）と携帯端末２1〜２nを接触させることで、非接触通信手段２０８を介して該Ｆｅｌｉｃａ（登録商標）端末から視聴効果設備１との通信に必要な情報を取得してもよい。あるいは、ユーザは、携帯端末２1〜２nが備える撮影手段２０６を用いて映画館等に掲示されたＱＲコード（登録商標）を撮影し、制御手段２０５に該ＱＲコード（登録商標）を復号させることで、視聴効果設備１との通信に必要な情報を取得してもよい。
【００４０】
さらに、携帯端末２1〜２nの各ユーザは、視聴効果設備１による携帯端末２1〜２nの制御を可能にするためのアプリケーションプログラムを予め携帯端末２1〜２nにインストールしておく。アプリケーションプログラムは、近距離通信手段２０２を用いて視聴効果設備１から取得してもよく、Ｆｅｌｉｃａ（登録商標）端末）と携帯端末２1〜２nを接触させることで、非接触通信手段２０８を介して該Ｆｅｌｉｃａ（登録商標）端末から取得してもよい。近距離通信手段２０２を用いて視聴効果設備１からアプリケーションプログラムを取得する場合、近距離通信手段２０２を介して視聴効果設備１との通信が可能になった時点で各携帯端末２1〜２nが自動で視聴効果設備１から取得してもよい。また、アプリケーションプログラムは、携帯端末２1〜２nが無線通信手段２０３を用いて情報を送受信できる場合、例えばインターネット上のサーバ装置（Ｗｅｂサーバ）から取得してもよい。
【００４１】
図３に示すように、各携帯端末２1〜２nの準備が完了し、ユーザによってアプリケーションプログラムが起動され、映画、コンサート、イベント等が開始されると、視聴効果設備１は、まず各携帯端末２1〜２nをマナーモードに設定する（マナーモードに移行させる）（ステップＳ１）。マナーモードは、映画、コンサート、イベント等が開始される前に各携帯端末２1〜２nに設定されればよく、例えばアプリケーションプログラムが起動された時点で、該アプリケーションプログラムの制御により移行されてもよい。
【００４２】
次に、視聴効果設備１は、スクリーン３の表示映像あるいは歌や音楽等に連動させて、近距離通信手段２０２を介して各携帯端末２1〜２nに指示または情報を送信し、各携帯端末２1〜２nの動作を制御する（ステップＳ２）。
【００４３】
例えば、映画の場合、飛行機が前方から近づいてきて頭上を越えていくような映像シーンでは、携帯端末２1〜２10、２11〜２20、２21〜２30、２31〜２40の順にプロペラ音を鳴動させる。また、例えば電話が着信する映像シーンでは、各携帯端末２1〜２nの着信音を鳴動させる。また、例えば爆破の映像シーンでは、各携帯端末２1〜２nでランダムに爆発音を鳴動させる。各携帯端末２1〜２nで鳴動させる音は、映像シーンに対応した音響効果を得ることができれば、どのような音でもよい。また、各携帯端末２1〜２nで鳴動させる音やタイミングは、例えば座席の位置（ユーザの位置）や携帯端末２1〜２nの固有情報に応じて異なるようにしてもよい。その場合、直接音や間接音等を用いることで、音響効果をより高めることができる。
【００４４】
また、コンサートやイベント会場等の場合、歌や音楽に連動させて、例えば各携帯端末２1〜２nの画面の明かりを点灯／消灯させたり、色を変えたりさせる。また、歌や音楽に連動させて、各携帯端末２1〜２nで効果音を鳴動させたり、バイブレータを振動させたりする。携帯端末２1〜２nの画面を照明として利用すれば、例えばケミカルライトのように使用したり、スポットライトが当たっているような効果を得ることもできる。
【００４５】
次に、視聴効果設備１は、映画、コンサート、イベント等が終了したか否かを判定し（ステップＳ３）、終了していない場合はステップＳ２の処理に戻って各携帯端末２1〜２nの動作を制御する。
【００４６】
映画、コンサート、イベント等が終了すると、視聴効果設備１は、携帯端末２1〜２nに、マナーモードを解除させ（ステップＳ４）、続いて携帯端末２1〜２nに保存されたアプリケーションプログラムや視聴効果設備１との通信に必要な情報を消去させる（ステップＳ５）。
【００４７】
なお、携帯端末２1〜２nは、視聴効果設備１から送信される情報や指示にしたがって動作を制御する構成に限定されるものではない。例えばアプリケーションプログラムにタイマーを組み込み、該アプリケーションプログラムの制御により、映画やイベント等の経過時間あるいは時刻等に応じて所望の動作を実行すれば、視聴効果設備１からの指示が無くても各携帯端末２1〜２nの動作を制御できる。その場合、携帯端末２1〜２nのマナーモードの設定／解除、アプリケーションプログラムや視聴効果設備１との通信に必要な情報の消去等も、アプリケーションプログラムにタイマーを組み込むことで実現すればよい。
【００４８】
本発明によれば、映像や音楽等に連動して各携帯端末２1〜２nから音、照明、振動等が発せられるため、音響効果、照明効果、視聴効果等を向上させることができる。
【００４９】
また、各聴衆が所有する携帯端末２1〜２nを利用した聴衆参加型の視聴効果システムが得られるため、各聴衆に強制することなく、それぞれの携帯端末２1〜２nをマナーモードに設定させることが可能であり、周囲への迷惑となる着信音等を制限できる。
【００５０】
そのため、公共の場において、携帯端末２1〜２nに本来有する機能を維持させつつ、携帯端末２1〜２nを利用して、音響効果、照明効果、視覚効果等を向上させることができる。
【符号の説明】
【００５１】
１    視聴効果設備
２、２1〜２n    携帯端末
３    スクリーン
２０１    表示手段
２０２    近距離通信手段
２０３    無線通信手段
２０４    音声出力手段
２０５    制御手段
２０６    撮影手段
２０７    振動手段
２０８    非接触通信手段
【図１】
2013239890.tif 000003
【図２】
2013239890.tif 000004
【図３】
2013239890.tif 000005